【手続補正書】
【提出日】平成17年3月23日(2005.3.23)
【手続補正１】
【補正対象書類名】明細書
【補正対象項目名】全文
【補正方法】変更
【補正の内容】
【書類名】    明細書
【発明の名称】    換気装置
【特許請求の範囲】
【請求項１】
複数の吸気口を有する吸気部と排気口とを備えた枠体の内部に送風機が装着されてなる換気装置において、
前記枠体の内部の送風機と前記吸気部との間に、長方形の通風口を有する仕切板を設け、前記通風口の長手方向の前記枠体の対向枠板に前記吸気口を分散配置したことを特徴とする換気装置。
【請求項２】
前記吸気口は、その縁部に対応する範囲の一部が本体部に接続されると共に、大部分が本体部から分断され、この分断領域の枠板に外力を加えて接続部を切離して形成したことを特徴とする請求項１に記載の換気装置。
【請求項３】
前記送風機は遠心送風機でなり、その回転軸を水平に据付け、前記送風機の吸気部側に前記通風口を設けたことを特徴とする請求項１又は２に記載の換気装置。
【請求項４】
前記送風機の下側に、前記送風機の制御装置を収納する電装ボックスを装着し、前記送風機の据付位置から偏った位置に前記通風口を設けたことを特徴とする請求項３に記載の換気装置。
【発明の詳細な説明】
【０００１】
【発明の属する技術分野】
本発明は、住宅を積極的に換気する換気システムに係り、特に、この換気システムを構成する換気装置に関する。
【０００２】
【従来の技術】
この種の従来の換気システムとして、複数の吸気口と通常は一つの排気口とを備えた枠体の内部に送風機を装着してなる換気装置を、例えば、天井裏に設置して複数の部屋の換気を行うものが知られている。この場合、換気装置を構成する枠体の複数の側面部にそれぞれ吸気口を形成すると共に、各吸気口と換気対象の各部屋の換気口とをダクトで配管する一方、各部屋の換気口に風量調節板を有する吸気グリルを設け、部屋の広さに応じた換気が行われるように開口面積を風量調節板により調整する構成になっていた。
【０００３】
【発明が解決しようとする課題】
上述した従来の換気装置にあっては、枠体の内部に装着される送風機の向きにより、あるいは、枠体の側面部に形成される吸気口の位置によって通風抵抗に差を生じ、各部屋の風量調整が難しくなるという問題があった。
【０００４】
また、各部屋の風量調整に当たり、傾向として風量調節板により開口面積を減少させるため、これが通風抵抗の増大を招き、送風機の能力を十分に活用できないという問題もあつた。
【０００５】
本発明は上記の課題を解決するためになされたもので、各部屋の風量調節を容易にすると共に、送風機の能力を十分に活用し得る換気装置を提供することを目的とする。
【０００６】
【課題を解決するための手段】
請求項１に係る発明は、複数の吸気口を有する吸気部と排気口とを備えた枠体の内部に送風機が装着されてなる換気装置において、
枠体の内部の送風機と吸気部との間に、長方形の通風口を有する仕切板を設け、通風口の長手方向の枠体の対向枠板に吸気口を分散配置したことを特徴とするものである。
【０００７】
請求項２に係る発明は、請求項１に記載の換気装置において、吸気口は、その縁部に対応する範囲の一部が本体部に接続されると共に、大部分が本体部から分断され、この分断領域の枠板に外力を加えて接続部を切離して形成したことを特徴とするものである。
【０００８】
請求項３に係る発明は、請求項１又は２に記載の換気装置において、送風機は遠心送風機でなり、その回転軸を水平に据付け、送風機の吸気部側に通風口を設けたことを特徴とするものである。
【０００９】
請求項４に係る発明は、請求項３に記載の換気装置において、送風機の下側に、送風機の制御装置を収納する電装ボックスを装着し、送風機の据付位置から偏った位置に通風口を設けたことを特徴とするものである。
【００１０】
【発明の実施の形態】
以下、本発明を図面に示す好適な実施形態に基づいて詳細に説明する。  
図１は本発明を適用する住宅換気システムの概略構成図である。同図において、住宅１０は１階にＬＤＫ（リビング、ダイニング、キッチン）又は居室１１、ホール１２、洗面所１４及び風呂、トイレ１５が配置され、例えば、ＬＤＫ又は居室１１に吹込んだ風Ａは、階段１３、ホール１２、洗面所１４及び風呂、トイレ１５を通って戸外に抜けることにより、いわゆる、自然換気が行われる。図１に示した換気システムは主に２階の居室１６，１７を強制的に換気しようとするものである。
【００１１】
そこで、居室１６の天井に換気口２１が設けられ、この換気口２１にグリルが取付けられ、同じく、居室１７の天井に換気口２２が設けられ、この換気口２２にもグリルが取付けられる。屋根裏１８には本発明に係る換気装置３０が設置され、この換気装置３０と換気口２１とがブレキシブルダクト２３により接続され、また、換気装置３０と換気口２２とがフレキシブルダクト２４により接続されている。また、換気装置３０と屋根の頂上部に設けられた換気塔１９とがフレキシブルダクト２５により接続されている。
【００１２】
この場合、居室１６に戸外から風Ｂが入り込み、また、居室１７に戸外から風Ｃが入り込むように適宜に開口されており、換気装置３０はこれらの居室１６，１７の空気を吸込んで換気塔１９に排出する。なお、屋根裏１８には戸外から風Ｄが自然に流入する開口又は間隙が設けられ、換気装置３０から排出された空気と、屋根裏１８に自然に流入した風Ｄとが混合されて換気塔１９から風Ｅとして排出される。
【００１３】
図２は本発明に係る換気装置の第１の実施形態の構成を示す縦断面図及び横断面図である。同図において、外形形状が天地方向に長い直方体をなす枠体３１は、天地方向の中間部が仕切板３２によって仕切られている。仕切板３２の略中央部には、長辺寸法がＬで短辺寸法がＷの通風口３３が形成されている。仕切板３２から見て下方が吸気部３４となり、上方が排気部３５となっている。このうち、吸気部３４の側方の枠板、すなわち、通風口３３の長手方向で見て、対向する一方の枠板に吸気口３６が設けられ、他方の枠板に吸気口３７が設けられている。
【００１４】
吸気口３６，３７の各外側にはそれぞれダクト２３，２４を接続するための接続筒４１が取付けられている。この接続筒４１はフランジ部４２と接続部４３とが一体的に形成され、フランジ部４２は周方向を４等分した位置がそれぞれ枠板にねじ止めされており、接続部４３はフレキシブルダクト２３又は２４を嵌装しやすくするためにテーパ管状に形成されている。
【００１５】
一方、仕切板３２の上方の排気部３５には、端部にそれぞれフランジを有する取付部材５１を介して、シロッコファンとして知られる遠心送風機５２が装着されている。この場合、取付部材５１の一端は枠体３１の頂部の枠板に取付けられ、他端に遠心送風機５２が回転軸を鉛直にして取付けられている。そして、この遠心送風機５２の空気の吐出方向、すなわち、側方の枠板に排気口３８が設けられている。この排気口３８の外側にはダクト２５を接続するための接続筒４４が取付けられている。この接続筒４４はフランジ部４５と接続部４６とが一体的に形成され、前述した接続筒４１と比較して直径のより大きなものでなり、このうち、フランジ部４５は周方向を４等分した位置がそれぞれ枠板にねじ止めされており、接続部４６はフレキシブルダクト２５を嵌装しやすくするためにテーパ管状に形成されている。
【００１６】
しかして、図１に示した居室１６，１７を換気するべく遠心送風機５２を運転すると、居室１６からの風Ｂと居室１７からの風Ｃとがそれぞれ吸気口３６，３７を通して吸気部３４に吸込まれると共に、それぞれ破線の矢印で示した経路で遠心送風機５２に吸込まれ、排気口３８から破線の矢印Ｅで示したように排出される。この場合、吸気口３６，３７は仕切板３２に形成した通風口３３の長手方向で見た枠板に形成され、風Ｂ及びＣは恰も層流状に通風口３３を通り抜けることになる。この結果、吸気部３４における通風抵抗に差を生じることもなく、居室１６，１７を略均等に換気することができる。また、吸気口３６，３７の直径、フレキシブルダクト２３，２４の直径を適切に定めることによって、居室１６，１７の換気口２１，２２に設けられるグリルとして、風量調節板の無いものを採用することができる。また、風量調節板を閉め過ぎたがために遠心送風機５２が公称能力を発揮できないという事態をも未然に回避することができる。
【００１７】
なお、上記実施形態では換気口２１，２２にそれぞれ風量調節板の無いものを取付けたが、部屋の広さの相違等に応じて一方の換気量を絞る必要がある場合には風量調節板を有するものを用いても良いことは言うまでもない。
【００１８】
かくして、図２に示した第１の実施形態によれば、各部屋の風量調節を容易にすると共に、送風機の能力を十分に活用することができる。
【００１９】
図３は本発明に係る換気装置の第２の実施形態の主要素の側面図及び斜視図である。図中、図２と同一の符号を付したものはそれぞれ同一の要素を示している。この実施形態は、例えば、枠体３１の一方の枠板に複数の吸気口３６を形成し、これらの吸気口３６を換気に利用したり、不要であるがために遮蔽したりするものである。この場合、（ａ）に示すように枠体３１の枠板に設けた吸気口３６の周囲の縁部に、周方向を３等分した１２０度毎にねじ孔３１Ａを設け、さらに、周方向を４等分した９０度毎にねじ孔３１Ｂ（一つのねじ孔３１Ａを共通にして）を設けている。
【００２０】
そして、吸気口３６を換気に使用するには（ｂ）に示す接続筒４１を取付け、反対に吸気口３６を塞ぐには（ｃ）に示す遮蔽板６１を取付けるように講じたものである。そこで、接続筒４１のフランジ部４２にはねじ孔３１Ａに対応する位置、すなわち、周方向を３等分した１２０度毎に取付孔４１Ｈが形成される。また、遮蔽板６１にはねじ孔３１Ｂに対応する位置、すなわち、周方向を４等分した９０度毎に取付孔６１Ｈが形成される。これによって、吸気口３６に対して接続筒４１及び遮蔽板６１の着脱、交換が可能となる。
【００２１】
図４は本発明に係る換気装置の第３の実施形態の主要素の側面図及び斜視図である。図中、図３と同一の要素には同一の符号を付してその説明を省略する。この実施形態は接続筒４１及び遮蔽板６１の着脱、交換に当たり、同一のねじ孔を使用するものである。この場合、（ａ）に示すように枠体３１の枠板に設けた吸気口３６の周囲の縁部に、周方向を３等分した１２０度毎にねじ孔３１Ｃを形成する。そして、（ｂ）に示す接続筒４１のフランジ部４２にはねじ孔３１Ｃに対応する位置に取付孔４１Ｈが設けられ、遮蔽板６１にもねじ孔３１Ｃに対応する位置に取付孔６１Ｈが設けられている。これによって、吸気口３６に対して接続筒４１及び遮蔽板６１の着脱、交換が可能となる。また、ねじ孔３１Ｃの数も少なくて済み、また、接続筒４１の取付に際して周方向位置を任意に決めて一つのねじ孔に一つの取付孔を合わせるだけで済むため作業性が高められる利点もある。
【００２２】
図５は本発明に係る換気装置の第４の実施形態の主要素の側面図である。この実施形態は実際に換気に使用するまで、吸気口３６を実質的に遮蔽状態とし、換気に使用するとき、吸気口３６を形成する部位を押し抜くものである。そのために、（ａ）は吸気口３６の縁部に対応する位置に、例えば、周方向を略３等分した部位のみが僅かに繋がるように、幅Ｗのスリット３１Ｄを形成し、その内部を押し抜き可能に構成したものである。（ｂ）はスリット３１Ｄの代わりに幅がより狭い切れ目３１Ｅを形成し、その内部を押し抜き可能に構成したものである。これによって、多くの場合、図３又は図４に示した遮蔽板６１を不要化することができる。
【００２３】
図６は本発明に係る換気装置の第５の実施形態の構成を示す縦断面図である。図中、図２と同一の要素には同一の符号を付してその説明を省略する。この実施形態は通風抵抗をより少なくするために、枠体３１の頂部に排気口３８を設けてその外側に接続筒４４を取付ける。また、これに応じて、遠心送風機５２はその回転軸５２Ｂが水平になるように、取付部材５１を介して枠体３１の側方の枠板に取付けられる。この遠心送風機５２の取付け状態では主に図面の左側から空気を吸って上方に排気するので、通風口３３、吸気口３６（及び吸気口３７）を図面の左側に偏った位置に形成する。この結果、例えば吸気口３６から吸込まれた風Ｂは破線の矢印に示したように、比較的抵抗の少ない経路を通って風Ｅとして排出される。この結果、送風経路が単純化されされて効率の良い換気が可能となる。
【００２４】
図７は本発明に係る換気装置の第６の実施形態の構成を示す縦断面図であり、図中、図６と同一の要素には同一の符号を付してその説明を省略する。この実施形態は吸気部３４を構成する空間に遠心送風機５２の制御装置を収納する電装ボックス７１を装着したものである。この場合、電装ボックス７１の装着位置として、通風抵抗を増大させず、かつ、遠心送風機５２の運転音を低減するのに効果的と考えられる仕切板３２の下面が選定される。これによって、遠心送風機５２の運転音がホール１２等に伝わり難くする、遮音効果が得られる。
【００２５】
図８は本発明に係る換気装置の第７の実施形態の構成を示す部分断面図である。図中、図２と同一の要素には同一の符号を付してその説明を省略する。この実施形態は外部から居室１６，１７（図１参照）に風が逆流することを防止するために、シャッタ８１を接続筒４１の内部に設けたものである。このシャッタ８１は接続筒４１の中心よりも上方に水平に設けられた軸８２を支点として傾動可能に装着され、軸８２から見て下の翼部が内側に位置し、軸８２から見て上の翼部が外側に位置している。従って、風が順方向に流れると、シャッタ８１は矢印Ｐ方向に傾き、風力と平衡した位置にて比較的通風抵抗の小さい状態に保持される。一方、風が逆方向に流れようとすると、軸８２から見た下の翼部の先端が接続筒４１の内壁に当接して接続筒４１の流路を塞ぐ構成になっている。この結果、外部から風が逆流することを防止することができる。
【００２６】
図９は本発明に係る換気装置の第８の実施形態の構成を示す部分断面図である。図中、図８と同一の要素には同一の符号を付してその説明を省略する。この実施形態は外部から風が逆流することを防止するシャッタ９１を接続筒４１の内部に設けたものである。このシャッタ９１は接続筒４１の中心よりも上方に水平に設けられた軸９２を支点にして傾動可能に装着され、軸９２から見て上の翼部の先端までの長さａと比較して、軸９２から見て下の翼部の先端までの長さｂが長く、上の翼部が外側に位置し、下の翼部が内側に位置している。また、上に翼部には下の翼部に対して重量を平衡させるためのバランスウェイト９３が取付けられている。この構成によれば風の流量が少ない場合でもシャッタ９１が容易に傾動し、順方向の風に対して矢印Ｐ方向に移動して略水平の位置に保たれ、逆風Ｒに対しては矢印Ｑ方向に傾動して接続筒４１の流路を塞ぐことになる。この実施形態によれば、外部から風が逆流することを防止するだけでなく、順方向の流量の少ない風に対して流路が開放されるため、遠心送風機５２の停止中に自然換気を行わせることができる。
【００２７】
なお、上記実施形態では住宅１０の２階の二つの居室１６，１７を強制的に換気するものについて説明したが、本発明はこれに適用を限定されるものではなく、換気対象の部屋が２階以外に存在しても、あるいは、３室以上であっても適用可能である。
【００２８】
また、上記実施形態によれば、円筒状のフレキシブルダクトに対応して円筒状の接続筒４１，４４を用いたがフレキシブルダクトに応じた外形形状の接続筒を用意すれば良い。
【００２９】
さらにまた、上記実施形態では外形形状が矩形の遮蔽板６１を用いたが、吸気口３６を塞ぐものであればその形状を円形にしても良い。
【００３０】
又、枠体３１の底面に吸気口を設け、この吸気口をホール１２に対向させてホール１２の空気を吸気する様にしても良い。
【００３１】
【発明の効果】
以上の説明によって明らかなように、請求項１に係る発明によれば、枠体の内部の送風機と吸気部との間に、長方形の通風口を有する仕切板を設け、この通風口の長手方向の枠体の対向枠板に吸気口を分散配置したので、各部屋の風量調節が容易になると共に、送風機の能力を十分に活用できる換気装置が得られる。
【００３２】
請求項２に係る発明によれば、吸気口の縁部に対応する範囲の一部が本体部に接続されると共に、大部分が本体部から分断されてなる構成を採用したので、多くの場合、遮蔽板６１を不要化することができる。
【００３３】
請求項３に係る発明によれば、送風機として遠心送風機を用い、その回転軸を水平に据付け、送風機の吸気部側に通風口を設けたので、送風経路が単純化されて効率の良い換気が可能になるという効果も得られる。
【００３４】
請求項４に係る発明によれば、送風機の下側の仕切板の吸気部側に電装ボックスを装着したので、送風機の運転音に対する遮音効果が得られる。
【図面の簡単な説明】
【図１】
本発明を適用する住宅換気システムの概略構成図。
【図２】
本発明に係る換気装置の第１の実施形態の構成を示す縦断面図及び横断面図。
【図３】
本発明に係る換気装置の第２の実施形態の主要素の側面図及び斜視図。
【図４】
本発明に係る換気装置の第３の実施形態の主要素の側面図及び斜視図。
【図５】
本発明に係る換気装置の第４の実施形態の主要素の側面図。
【図６】
本発明に係る換気装置の第５の実施形態の構成を示す縦断面図。
【図７】
本発明に係る換気装置の第６の実施形態の構成を示す縦断面図。
【図８】
本発明に係る換気装置の第７の実施形態の構成を示す部分断面図。
【図９】
本発明に係る換気装置の第８の実施形態の構成を示す部分断面図。
【符号の説明】
１０  住宅
１６，１７  居室
２１，２２  換気口
２３〜２５  フレキシブルダクト
３０  換気装置
３１  枠体
３１Ｄ  スリット
３１Ｅ  切れ目
３２  仕切板
３３  通風口
３４  吸気部
３５  排気部
３６，３７  吸気口
４１，４４  接続筒
５１  取付部材
５２  遠心送風機
６１  遮蔽板
７１  電装ボックス
８１，９１  シャッタ